(57)【要約】【課題】空気注排出口を有し弾性部材から成る略同一直径のボールを二個保持しても必要以上に長尺と成ることが無く、二個のボールが予期せぬ方向に移動することが無く、安心して様々な姿勢を取ることができ、多くの使い方が可能となるボールカバーを提供する。【解決手段】空気注排出口を有し弾性部材から成る略同一直径のボールを少なくとも二個、一列状に保持可能なボールカバーであって、変形自在のシート状体から成る筒状のボール保持本体部２と、該ボール保持本体部２の両端部の開閉部３と、から成り、開閉部３はボールＢの直径超に開き且つ直径未満に閉じるように開閉自在に形成され、ボール保持本体部２の長さは保持するボールＢの直径超であることを特徴とするボールカバー１である。【選択図】図１
2019058558.tif 000002
【特許請求の範囲】
【請求項１】
空気注排出口を有し弾性部材から成る略同一直径のボールを少なくとも二個、一列状に保持可能なボールカバーであって、
変形自在のシート状体から成る筒状のボール保持本体部と、
該ボール保持本体部の両端部の開閉部と、から成り、
開閉部はボールの直径超に開き且つ直径未満に閉じるように開閉自在に形成され、
ボール保持本体部の長さは保持するボールの直径超である、
ことを特徴とするボールカバー。
【請求項２】
ボールは球状でバランスを取りながら座ることが可能なボールであることを特徴とする請求項１記載のボールカバー。
【請求項３】
シート状体は織物地又は編み物地から成る布地であることを特徴とする請求項１又は請求項２記載のボールカバー。
【請求項４】
開閉部は、ボール保持本体部の両端部の縁を全周にわたって袋状に形成した袋状部と、該袋状部に設けられた切欠き部と、該切欠き部より袋状部に挿通された紐とから成ることを特徴とする請求項１乃至請求項３のいずれかに記載のボールカバー。
【請求項５】
一の開閉部の紐と他の開閉部の紐とは異なった色に形成されていることを特徴とする請求項４記載のボールカバー。
【発明の詳細な説明】
【技術分野】
【０００１】
本発明は、空気注排出口を有し弾性部材から成るボールを複数個、一列状に保持するボールカバーに関する。
【背景技術】
【０００２】
従来、１個のボールを保持することで、保持したボール部分を背もたれにして座位を取ることができ、また同様に横臥位、仰臥位等様々な姿勢を取ることが出来るボールカバーが提案されている。
【０００３】
該ボールカバーは、空気を注入して膨らませた弾性部材から成るボールのボールカバーであって、該ボールの外側を被ってボールを保持する保持部と、該保持部に連接した舌片部とから成り、該舌片部の上に座ることが可能に形成され、保持部と舌片部は変形自在のシート状体で形成されていることを特徴とするボールカバーである（特許文献１）。
【０００４】
また、複数のボールを一列状に収納すると共に、該ボールを収納したボールカバーをさらに複数個、平面状に連接して、全体としてマット状に形成可能なボールカバーが提案されている。
【０００５】
該ボールカバーは、空気注排出口を有し該空気注排出口から空気を内部に注入及び排出可能で内部の空気量を調節できる弾性部材から成るボールのボールカバーであって、複数個のボールを一列状に収納する袋本体部と、該袋本体部の中央部長手方向に設けられたスリット部と、袋本体部に収納されたボールの位置を調整し保持するボール位置調整保持手段と、から成り、スリット部はボールが出入り自在に形成されていることを特徴とするボールカバーである（特許文献２）。
【先行技術文献】
【特許文献】
【０００６】
【特許文献１】特開２０１６−５２４８３号公報
【特許文献２】特開２０１６−２０９０４７号公報
【０００７】
しかしながら、特許文献１に係るボールカバーは、ただ一個のボールを保持するボールカバーであって、保持部に収納したボール部分を背もたれにして座位等をとることは可能であっても、該ボール部分を背もたれにして安定した座位等を取るには保持部に連接した舌片部に座る等してボール部分が予期せぬ方向へ移動しないようにしなければならず、またボールカバーは変形自在のシート状体で形成されているため、ボール部分が移動しないようにするためには、力の方向や大きさの程度の加減が難しく、安心して座位等を続けることが出来ない場合があるという課題がある。
【０００８】
また、特許文献２に係るボールカバーは、複数個のボールを袋本体部に一列状に収納することは可能であっても、袋本体部へのボールの出し入れは袋本体部の中央部長手方向に設けられたスリット部から行わなければならず、例えば同一径の大き目の二個のボールを袋本体部の中央部に設けられたスリット部から出し入れをして収納するためには、少なくともスリット部の長さはボールの外周の二分の１超の長さ（ボールの直径をＤとすると、Ｄ×３．１４÷２＝１．５７Ｄ超）が必要である。
【０００９】
また、この場合、続いて二個目のボールをスリット部より入れるためには一個目のボールを袋本体部のどちらかの端部に一旦寄せておかなければならず、この長さが少なくともスリット部の片側でボールの直径以上の長さが必要となる。したがって、必要なボールカバーの全長は、ボールの直径（Ｄ）の（１．５７＋１）×Ｄ＝２．５７倍超の長さが必要となってボールカバー全体が長尺となってしまい、特に大き目のボールを一個入れて、該ボールカバーにて様々な使い方をするには、必要以上に長尺なため全体として取扱いが不便となる場合があるという課題がある。
【発明の概要】
【発明が解決しようとする課題】
【００１０】
本発明が解決しようとする課題は、空気注排出口を有し弾性部材から成る略同一直径のボールを二個保持しても必要以上に長尺と成ることが無く、二個のボールを保持することにより、該二個のボールの相互干渉作用によって各ボール又はボールカバーに保持されているボール部分が予期せぬ方向に移動することが無く、よって安心して様々な姿勢を取ることができ、さらにはボールを少なくとも二個、保持可能であることから、一個のボールしか保持できないボールカバーでの使い方以上の多くの使い方が可能なボールカバーを提供することにある。
【課題を解決するための手段】
【００１１】
上記の課題を解決するため、請求項１記載の発明は、空気注排出口を有し弾性部材から成る略同一直径のボールを少なくとも二個、一列状に保持可能なボールカバーであって、
変形自在のシート状体から成る筒状のボール保持本体部と、
該ボール保持本体部の両端部の開閉部と、から成り、
開閉部はボールの直径超に開き且つ直径未満に閉じるように開閉自在に形成され、
ボール保持本体部の長さは保持するボールの直径超である、
ことを特徴とするボールカバーを提供する。
【００１２】
また、請求項２記載の発明は、ボールは球状でバランスを取りながら座ることが可能なボールであることを特徴とする請求項１記載のボールカバーを提供する。
【００１３】
また、請求項３記載の発明は、シート状体は織物地又は編み物地から成る布地であることを特徴とする請求項１又は請求項２記載のボールカバーを提供する。
【００１４】
また、請求項４記載の発明は、開閉部は、ボール保持本体部の両端部の縁を全周にわたって袋状に形成した袋状部と、該袋状部に設けられた切欠き部と、該切欠き部より袋状部に挿通された紐とから成ることを特徴とする請求項１乃至請求項３のいずれかに記載のボールカバーを提供する。
【００１５】
また、請求項５記載の発明は、一の開閉部の紐と他の開閉部の紐とは異なった色に形成されていることを特徴とする請求項４記載のボールカバーを提供する。
【発明の効果】
【００１６】
本発明のボールカバーは、空気注排出口を有し弾性部材から成る略同一直径のボールを二個、保持するに当たって最低限の長さがあれば良く、特にはボール保持本体部の両端に設けられた開閉部をボールの直径超に開き且つボールの直径未満に閉じるように構成するため、ボール保持本体部の筒長は最も短くて一個のボールの直径を僅かに超える長さを有すれば略同一直径のボールを二個保持することができ、非常にコンパクトであるという効果がある。
【００１７】
これによって二個のボールを使って一個のボールでは出来なかった様々な使い方（エクササイズ）が出来る効果がある。勿論一個のみ保持すれば、従来の一個のボールで行えるエクササイズはすべて行うことができる。よって、本発明のボールカバーによればボールを一個保持した場合の使い方の数に、ボールを二個保持した場合の使い方の数が加わって、従来の一個のボールを保持するボールカバーと比べて全体としてコンパクトであるにも拘わらず、従来の使い方の数以上にバリエーションに富んだ様々な使い方が可能であるという効果がある。
【００１８】
また、本発明のボールカバーに二個のボールを保持すれば、該二個のボールの相互干渉作用によって各ボール又はボールカバーのボールが保持されている部分が予期せぬ方向に移動することが無く、安心して座位等の様々な姿勢を取ることができる効果がある。
【００１９】
特に、請求項４記載のボールカバーは、開閉部の開閉操作を袋状部に挿通された紐の袋状部への出し入れと該紐の両端部の結束によって容易に行なうことが出来る効果がある。
【００２０】
また、請求項５記載のボールカバーは、ボール保持本体部の両端部にある開閉部の紐の色が相互に異なるため、本発明のボールカバーにボールを保持して様々な使い方（エクササイズ）をする際、例えば頭部（顔）が接する側と足部を接する側とを紐の色によって決めておくことができ、衛生的に使用することが出来る効果がある。
【図面の簡単な説明】
【００２１】
【図１】本発明に係るボールカバーをボール保持本体部が筒状に成るように張力を掛けて保持した状態の全体斜視図である。
【図２】本発明に係るボールカバーに略同一直径のボールを二個保持した状態を示す状態斜視図である。
【図３】本発明に係るボールカバーのボール保持本体部の長さを、ボールの直径を僅かに超えた長さとした場合であって、該ボールカバーに二個のボールを保持している状態を示した正面状態図である。
【図４】本発明に係るボールカバーのボール保持本体部の長さをボールの直径の約三倍の長さとした場合であって、該ボールカバーに二個のボールを保持している状態を示した正面状態図である。
【図５】本発明に係るボールカバーに二個のボールを保持し、縦状に保持した状態を示す正面状態図である。
【図６】本発明に係るボールカバーに二個のボールを保持した際の使い方の一例を示す状態斜視図である。
【図７】本発明に係るボールカバーに二個のボールを保持した際の使い方の一例を示す状態斜視図である。
【図８】本発明に係るボールカバーに二個のボールを保持した際の使い方の一例を示す状態斜視図である。
【図９】本発明に係るボールカバーに二個のボールを保持した際の使い方の一例を示す状態斜視図である。
【図１０】本発明に係るボールカバーに二個のボールを保持した際の使い方の一例を示す状態斜視図である。
【図１１】本発明に係るボールカバーに二個のボールを保持した際の使い方の一例を示す状態斜視図である。
【図１２】本発明に係るボールカバーにボールを一個保持した状態を示す状態斜視図である。
【図１３】本発明に係るボールカバーに一個のボールを保持した際の使い方の一例を示す正面状態図である。
【図１４】本発明に係るボールカバーに一個のボールを保持した際の使い方の一例を示す正面状態図である。
【図１５】本発明に係るボールカバーに一個のボールを保持した際の使い方の一例を示す正面状態図である。
【図１６】本発明に係るボールカバーに一個のボールを保持した際の使い方の一例を示す正面状態図である。
【発明を実施するための形態】
【００２２】
次に本発明に係るボールカバーを実施するための形態に関し、図１乃至図１６に基づき詳細に説明する。
【実施例】
【００２３】
図１は、本発明に係るボールカバー１の全体斜視図であり、ボールカバー１全体が筒状に成るように張力を掛けて保持した状態を示している。
【００２４】
ホールカバー１は、筒状のボール保持本体部２と、この両端部の開閉部３とから成り、ボール保持本体部２は、変形自在の織物地、編み物地、不織布、プラスチックフィルム等から成っている。開閉部３はボール保持本体部２と一体的に形成されているため、同様に変形自在であり、実際には、図１のように張力を掛けて保持しなければ長方形状に平らに成って平面状となり、さらに折り畳めばコンパクトに成って、容易にバッグ等に入れて持ち運ぶことが出来る。
【００２５】
特に、本発明のボールカバー１のボール保持本体部２は、織物地又は編み物地で形成することにより、ボールＢを優しく保持し、本発明のボールカバー１を使用して座位、横臥位、仰臥位等を取ったり、ストレッチやエクササイズを行う際に、直接肌がボールＢに接することが無くなる。また、肌が該織物地又は編み物地に接して、直接ボールＢに接することがないため、べた付いたり冷たく感じるようなことが無い。特にエクササイズを行う際には汗がボール保持本体部２に吸い取られるため、周囲を汗等で汚すことがなく、また汗が染み込んだボールカバー１は容易に洗濯機等で洗うことが出来て清潔性を保つことが出来る。
【００２６】
ボール保持本体部２は、図１のように筒状に保持した場合に、保持しようとするボールＢの直径と略同一径超の筒に成るように形成されていて、筒状に保持した際の該筒の長さは、図１、図２、図４、図６乃至図１０、及び図１２乃至図１６では、保持しようとするボールＢの直径の約３倍長に形成されている。もちろん、二個のボールＢを保持するだけであれば、図３に示すようにボール保持本体部２の長さは、ボールＢの直径よりわずかに長ければ（直径超あれば）良く、図５、図１１のようにボールＢを二個、密接させて使用する場合は、これより僅かに長く形成すれば良い。
【００２７】
また、ボール保持本体部２は少なくともボールＢを二個、一列状に保持可能であればよいので、その断面形状は円状の他、三角形状、四角形状、その他の多角形状等、どのような形状に成ってもよく、全体として筒状であれば良い。
【００２８】
ボール保持本体部２の筒長は、本ボールカバー１をどのように使うのかで自由に決めることができ、一人で使用するときは、取扱いが容易であることより上記のようにボールＢの直径の約３倍長が好ましい。２人で使用する際には、ボールＢの直径の４倍以上に長くても良いし、仮に一人で使用する場合でボール保持本体部２の長さが必要以上に長くても、ボール保持本体部２を必要に応じて捩じれば全体として短くなり、使用に適した筒長とすることも出来る。
【００２９】
本発明のボールカバー１で保持しようとするボールＢの直径は、４０〜７０ｃｍで球状であって直接バランスを取りながら座ることが出来るボールが好ましく、この大きさのボールＢを一列状に二個保持することで、以下で説明する様々な使い方をすることが出来る。本発明のボールカバー１は、略同一直径の該ボールＢを二個保持することが好ましく、このためボール保持本体部２を筒状に形成した際の筒径は該ボールＢの直径よりやや大き目とすることが好ましい。ボール保持本体部２の筒径がボールＢの直径の２倍超となると、ボールＢがボール保持本体部２内で移動しやすくなって、ボールＢを保持している本ボールカバー１を安定した状態で使い難くなる。逆に言えば、ボール保持本体部２の筒径はボールＢを保持できる径であれば特に制限はない。
【００３０】
また、ボールＢは空気注排出口を有し弾性部材から成るものが好ましく、空気注排出口よりボールＢ内の空気の量を調節することで、本ボールカバー１に保持されているボールＢの柔らかさを好みの程度に調節することができ、様々な使い方に適した柔らかさとすることが出来る。
【００３１】
ボール保持本体部２の両端部に設けられた開閉部３は、ボールＢの直径超に開き且つ直径未満に閉じるように形成され、本実施例では、ボール保持本体部２の両端部の縁が全周にわたって袋状に形成されて袋状部３ａと成っていて、該袋状部３ａには切欠き部３ｂが設けられている。該切欠き部３ｂより一本の紐３ｃが袋状部３ａに挿通され、紐３ｃの両端部には、開閉部３を閉じることが出来るように摺動自在に駒３ｄが挿入されている。なお、本実施例では切欠き部３ｂは袋状部３ａの一箇所に設けているが、二箇所以上設けても良く、そのうちの一箇所から紐３ｃを挿通すれば良い。
【００３２】
したがって、袋状部３ａに挿通されている紐３ｃを切欠き部３ｂより引き出して、駒３ｄを切欠き部３ｂに近接させるように摺動させて保持すれば、開閉部３の開口径はボールＢの直径以下に閉じられ、これによりボールＢはボール保持本体部２に保持されることになる。
【００３３】
ボールＢを開閉部３より取り出す際には、駒３ｄを紐３ｃの端部寄りに摺動させて保持すれば、紐３ｃを袋状部３ａに送り込むこと出来、これにより開閉部３はボールＢの直径超に開口する。
【００３４】
なお、駒３ｄが無くても、袋状部３ａから外に出ている紐３ｃの両端部を開閉部３の開閉に伴う開口径に合わせて結び合わせることでボールＢを保持した状態で開口部３を閉じることができ、該紐３ｃの両端部の結びを解けば開口部３は開いて保持したボールＢを取り出すことが出来る。
【００３５】
図２は、本発明のボールカバー１にボールＢを二個保持した状態斜視図であり、この状態の正面図が図４である。このようにボールＢを二個保持した本ボールカバー１は、図６に示すようにその上に仰向けとなることや、図７のようにうつ伏せと成ることが出来る。
【００３６】
また、図８のように二個のボールＢの間にうつ伏せとなったり、図９のように仰向けとなったり、図１０のように伸身することができ、ボールＢの弾力によって心地よく背筋や体全体のストレッチ運動を行うことが出来る。
【００３７】
また、図５のように二個のボールＢを縦状に保持すれば、図１１のようにその上に腰かけることができ、一個のボールＢに腰かける際には、やや低い位置であったものが、本ボールカバー１により二個のボールＢを縦状に積み重ねて、この上部に腰かけることで、高い位置で座位を取ることが出来るようになる。この高さで座位を取ることでテーブル等の高さのある作業台で作業を行うことが出来る。もちろんこの状態を保持しようとすることだけでも、腹筋、背筋、腸腰筋等のエクササイズになる効果がある。
【００３８】
また上記のように、本発明のボールカバー１に二個のボールＢを保持させれば、ボールＢは自由に転がることが無くなるため、該ボールカバー１をベッド等の上に置いて上記の使い方等を安定して安全に行うことができる。
【００３９】
本発明のボールカバー１に二個のボールＢを保持させるには、上記のようにボール保持本体部２の両端部にある開閉部３を閉じることの他に、例えば両端部の紐３ｃをボール保持本体部２の中央部分で結んで固着することで二個のボールＢを確実に保持することが出来る。
【００４０】
また、紐３ｃを長めにして、該余分の紐３ｃにてボール保持本体部２の開閉部３近くを縛れば２個のボールＢを外側からやや力を加えた状態で保持することができ、ボールＢを確実に保持することが出来る。縛る紐３ｃは片側でも両側でも良い。
【００４１】
図１２は本発明に係るボールカバー１に、一個のボールＢを保持させた状態を示した状態斜視図であり、この状態では、図１３のように座位を取り、図１４のように背筋をボールＢに寄りかけてストレッチをすることができ、また図１５のように横臥位を取り、さらには図１６のように仰臥位をとって両足をボールＢの上に載せて、リラックスした姿勢を取ることが出来る。
【００４２】
以上の説明のように、本発明に係るボールカバー１は、ボールを一個乃至二個保持することで、さまざまな姿勢やエクササイズを行うことが出来るものである。
【符号の説明】
【００４３】
１  ボールカバー
２  ボール保持本体部
３  開閉部
３ａ  袋状部
３ｂ  切欠き部
３ｃ  紐
３ｄ  駒
【図１】
2019058558.tif 000003
【図２】
2019058558.tif 000004
【図３】
2019058558.tif 000005
【図４】
2019058558.tif 000006
【図５】
2019058558.tif 000007
【図６】
2019058558.tif 000008
【図７】
2019058558.tif 000009
【図８】
2019058558.tif 000010
【図９】
2019058558.tif 000011
【図１０】
2019058558.tif 000012
【図１１】
2019058558.tif 000013
【図１２】
2019058558.tif 000014
【図１３】
2019058558.tif 000015
【図１４】
2019058558.tif 000016
【図１５】
2019058558.tif 000017
【図１６】
2019058558.tif 000018
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
空気注排出口を有し弾性部材から成る略同一直径のボールを少なくとも二個、一列状に保持可能なボールカバーであって、
変形自在のシート状体から成る筒径が７０ｃｍ超１４０ｃｍ以下の筒状のボール保持本体部と、
該ボール保持本体部の両端部の開閉部と、から成り、
両端部の開閉部はボールの直径超に開き且つ直径未満に閉じるように開閉自在に形成され、
ボール保持本体部の長さは保持するボールの直径の３倍長以上であり、
ボール保持本体部にボールを二個保持した際に、ボール保持本体部上に人が仰向け及びうつ伏せとなることが可能に形成されている
ことを特徴とするボールカバー。
【請求項２】
ボールは球状でバランスを取りながら座ることが可能な直径７０ｃｍのボールであることを特徴とする請求項１記載のボールカバー。
【請求項３】
シート状体は織物地又は編み物地から成る布地であることを特徴とする請求項１又は請求項２記載のボールカバー。
【請求項４】
開閉部は、ボール保持本体部の両端部の縁を全周にわたって袋状に形成した袋状部と、該袋状部に設けられた切欠き部と、該切欠き部より袋状部に挿通された紐とから成ることを特養とする請求項１乃至請求項３のいずれかに記載のボールカバー。
【手続補正２】
【補正対象書類名】明細書
【補正対象項目名】００１１
【補正方法】変更
【補正の内容】
【００１１】
上記の課題を解決するため、請求項１記載の発明は、空気注排出口を有し弾性部材から成る略同一直径のボールを少なくとも二個、一列状に保持可能なボールカバーであって、
変形自在のシート状体から成る筒径が７０ｃｍ超１４０ｃｍ以下の筒状のボール保持本体部と、
該ボール保持本体部の両端部の開閉部と、から成り、
両端部の開閉部はボールの直径超に開き且つ直径未満に閉じるように開閉自在に形成され、
ボール保持本体部の長さは保持するボールの直径の３倍長以上であり、
ボール保持本体部にボールを二個保持した際に、ボール保持本体部上に人が仰向け及びうつ伏せとなることが可能に形成されている
ことを特徴とするボールカバーを提供する。
【手続補正３】
【補正対象書類名】明細書
【補正対象項目名】００１５
【補正方法】削除
【補正の内容】
【手続補正４】
【補正対象書類名】明細書
【補正対象項目名】００２０
【補正方法】削除
【補正の内容】
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
空気注排出口を有し弾性部材から成る略同一直径のボールを少なくとも二個、一列状に保持可能なボールカバーであって、
変形自在のシート状体から成る筒径が７０ｃｍ超１４０ｃｍ以下の筒状のボール保持本体部と、
該ボール保持本体部の両端部の開閉部と、から成り、
両端部の開閉部はボールの直径超に開き且つ直径未満に閉じるように開閉自在に形成され、
ボール保持本体部の長さは保持するボールの直径の３倍長以上であり、
ボール保持本体部にボールを二個保持した際に、ボール保持本体部上に人が仰向け及びうつ伏せとなることが可能に形成されている
ことを特徴とするボールカバー。
【請求項２】
ボールは球状でバランスを取りながら座ることが可能な直径７０ｃｍのボールであることを特徴とする請求項１記載のボールカバー。
【請求項３】
シート状体は織物地又は編み物地から成る布地であることを特徴とする請求項１又は請求項２記載のボールカバー。
【請求項４】
開閉部は、ボール保持本体部の両端部の縁を全周にわたって袋状に形成した袋状部と、該袋状部に設けられた切欠き部と、該切欠き部より袋状部に挿通された紐とから成ることを特養とする請求項１乃至請求項３のいずれかに記載のボールカバー。
【手続補正２】
【補正対象書類名】明細書
【補正対象項目名】００１１
【補正方法】変更
【補正の内容】
【００１１】
上記の課題を解決するため、請求項１記載の発明は、空気注排出口を有し弾性部材から成る略同一直径のボールを少なくとも二個、一列状に保持可能なボールカバーであって、
変形自在のシート状体から成る筒径が７０ｃｍ超１４０ｃｍ以下の筒状のボール保持本体部と、
該ボール保持本体部の両端部の開閉部と、から成り、
両端部の開閉部はボールの直径超に開き且つ直径未満に閉じるように開閉自在に形成され、
ボール保持本体部の長さは保持するボールの直径の３倍長以上であり、
ボール保持本体部にボールを二個保持した際に、ボール保持本体部上に人が仰向け及びうつ伏せとなることが可能に形成されている
ことを特徴とするボールカバーを提供する。
【手続補正３】
【補正対象書類名】明細書
【補正対象項目名】００１２
【補正方法】変更
【補正の内容】
【００１２】
また、請求項２記載の発明は、ボールは球状でバランスを取りながら座ることが可能な直径７０ｃｍのボールであることを特徴とする請求項１記載のボールカバーを提供する。
【手続補正４】
【補正対象書類名】明細書
【補正対象項目名】００１５
【補正方法】削除
【補正の内容】
【手続補正５】
【補正対象書類名】明細書
【補正対象項目名】００２０
【補正方法】削除
【補正の内容】